(57)【要約】【課題】開口部に砥粒が詰まることなく、砥粒回収率を維持することが可能なスリット詰まり抑制装置を提供する。【解決手段】複数の磁石４を配置した回転ドラム３を備え、処理済クーラント液中の不要物を分離する回転ドラム型磁気分離装置で用いる。回転ドラム３の下方にスリット状の開口部８を設け、開口部８の下方に、回転することが可能な溝部を有する円筒状の軸２１と該溝部と係合するスリット清掃部材２２とで構成される円筒溝カム機構を有する。スリット清掃部材２２が開口部８の長手方向に沿って移動する。【選択図】図３
2012130887.tif 000002
【特許請求の範囲】
【請求項１】
複数の磁石を配置した回転ドラムを備え、処理済クーラント液中の不要物を分離する回転ドラム型磁気分離装置で用いるスリット詰まり抑制装置において、
前記回転ドラムの下方にスリット状の開口部を設け、
前記開口部に一部が挿入してあるスリット清掃部材が、前記開口部の長手方向に沿って移動するようにしてあることを特徴とするスリット詰まり抑制装置。
【請求項２】
前記スリット清掃部材を移動させる移動機構は、前記開口部に略平行に、前記開口部の直下から離れた位置に配置してあることを特徴とする請求項１記載のスリット詰まり抑制装置。
【請求項３】
前記移動機構と前記開口部との間に、前記開口部に略平行に板状部材を取り付けてあることを特徴とする請求項２記載のスリット詰まり抑制装置。
【請求項４】
前記開口部の下方に、回転することが可能な溝部を有する円筒状の軸と前記溝部と係合する前記スリット清掃部材とで構成される円筒溝カム機構を移動機構として備えることを特徴とする請求項１乃至３のいずれか一項に記載のスリット詰まり抑制装置。
【請求項５】
前記円筒溝カム機構は、前記溝部が雌ネジ状に形成してあり、前記スリット清掃部材の雄ネジ状の突起部を係合させて連結してあり、前記軸の回転に応じて前記スリット清掃部材が前記開口部の長手方向に沿って移動するようにしてあることを特徴とする請求項４記載のスリット詰まり抑制装置。
【請求項６】
前記円筒溝カム機構は、前記溝部がクロスネジ状に形成してあり、前記スリット清掃部材の突起部を前記溝部に係合させて連結してあり、前記軸の回転に応じて前記スリット清掃部材が前記開口部の長手方向に沿って移動するようにしてあることを特徴とする請求項４又は５に記載のスリット詰まり抑制装置。
【請求項７】
前記回転ドラムの回転軸の少なくとも一端に、前記軸へ前記回転軸の回転を伝える回転伝達機構を備え、
前記回転ドラムの回転により、前記円筒溝カム機構が動作するようにしてあることを特徴とする請求項６に記載のスリット詰まり抑制装置。
【請求項８】
前記回転伝達機構は、前記軸の少なくとも一端にチェインユニットを装着してあり、前記回転ドラムの回転軸の少なくとも一端に前記チェインユニットと噛み合うことが可能な連続する突起部を備えていることを特徴とする請求項７に記載のスリット詰まり抑制装置。
【請求項９】
前記開口部の下方に、回転することが可能な２基の円柱状部材と、
該円柱状部材に掛け回してある環状部材と
を移動機構として備え、
前記環状部材の一部に前記スリット清掃部材を固着してあることを特徴とする請求項１記載のスリット詰まり抑制装置。
【発明の詳細な説明】
【技術分野】
【０００１】
本発明は、使用済みクーラント液に含まれるスラッジを分離して回収する回転ドラム型磁気分離装置のスリットを清掃するスリット詰まり抑制装置に関する。
【背景技術】
【０００２】
金属材料、特に鉄鋼材料に代表される磁性材料の切削加工、研削加工等において、クーラント液とともに排出される切削屑、切粉等は、液分と分離させて回収する。切削屑、切粉等は様々な形状を有しているため、回収効率の観点から種々の磁気分離(回収)装置が開発されている。
【０００３】
例えば、特許文献１には、従来の回転ドラム型磁気分離装置が開示されている。図１は、従来の回転ドラム型磁気分離装置の構成を示す回転ドラムの回転軸に直交する面での断面図である。図１に示すように、従来の回転ドラム型磁気分離装置は、箱型の本体１内にクーラント液を溜め置く液溜め部１０が設けられている。液溜め部１０を二分するように、本体１の中央部近傍に回転ドラム３が略水平方向に軸支されている。回転ドラム３は、ステンレス鋼等の非磁性材からなる円筒体をなしており、外周面に複数の磁石４、４、・・・を所定の配列で配置してある内筒５を外筒の内部に同軸に固定してある。複数の磁石４、４、・・・の極性は、クーラント液に含まれる磁性体である切削屑、切粉等を磁着させることができるように、回転ドラム３の外周面近傍に所定の磁束を発生させるよう配置されている。
【０００４】
特許文献１では、回転ドラム３の液溜め部１０に浸漬する部分から頂上部までの間、すなわち回転ドラム３の外周の略４分の３に相当する部分に対応する内筒５に、複数の磁石４、４、・・・が配置されている。残りの略４分の１に相当する部分には内筒５に磁石４が配置されておらず、磁力が作用しないように構成されている。
【０００５】
複数の磁石４、４、・・・の磁力によって液溜め部１０の底部にて回転ドラム３の外周面に吸着されたスラッジは、回転ドラム３の回転に伴って回転ドラム３の頂上部へと搬送され、頂上部を通過した時点で複数の磁石４、４、・・・による吸着力を失い、回転ドラム３に当接するスクレーパ７にて掻き取られて回収される。回転ドラム３の頂上部近傍には、ゴム等の弾性体を表面に配してある絞りローラ６が設けられており、所定の押圧で回転ドラム３の外周面に当接されている。回転ドラム３と絞りローラ６との間を吸着されたスラッジが通過することにより、スラッジに含まれている液分が絞り取られ、磁力が及ばない位置にて切削屑、切粉等のみが分離される。
【０００６】
回転ドラム３の外周面に沿った磁場流路１６の底部には、回収できなかった砥粒の堆積量を抑制するために、スリット状の開口部８が設けてある。開口部８を設けることにより、砥粒回収率を維持しつつ、切削屑、切粉等の回収率を高めることが可能となる。
【先行技術文献】
【特許文献】
【０００７】
【特許文献１】特開２００７−０００９７８号公報
【発明の概要】
【発明が解決しようとする課題】
【０００８】
特許文献１では、スリット状の開口部８から砥粒を回収するが、開口幅よりも大きい非磁性体粒子等が開口部８で詰まり、砥粒の回収率が大きく低下するおそれがあるという問題点があった。また、定期的に清掃する作業も煩雑であり、全体として作業効率の低下を招くおそれもあった。
【０００９】
本発明は斯かる事情に鑑みてなされたものであり、開口部に砥粒が詰まることなく、砥粒回収率を維持することが可能なスリット詰まり抑制装置を提供することを目的とする。
【課題を解決するための手段】
【００１０】
上記目的を達成するために第１発明に係るスリット詰まり抑制装置は、複数の磁石を配置した回転ドラムを備え、処理済クーラント液中の不要物を分離する回転ドラム型磁気分離装置で用いるスリット詰まり抑制装置において、前記回転ドラムの下方にスリット状の開口部を設け、前記開口部に一部が挿入してあるスリット清掃部材が、前記開口部の長手方向に沿って移動するようにしてあることを特徴とする。
【００１１】
第１発明では、複数の磁石を配置した回転ドラムを備え、処理済クーラント液中の不要物を分離する回転ドラム型磁気分離装置で用いる。回転ドラムの下方にスリット状の開口部を設け、開口部に一部が挿入してあるスリット清掃部材が、開口部の長手方向に沿って移動する。スリット清掃部材がスリット状の開口部の長手方向に沿って移動することにより、砥粒により開口部が詰まることを抑制することが可能となる。
【００１２】
また、第２発明に係るスリット詰まり抑制装置は、第１発明において、前記スリット清掃部材を移動させる移動機構は、前記開口部に略平行に、前記開口部の直下から離れた位置に配置してあることを特徴とする。
【００１３】
第２発明では、スリット清掃部材を移動させる移動機構は、開口部に略平行に、開口部の直下から離れた位置に配置してある。これにより、開口部から吐出される砥粒によりスリット清掃部材の移動が規制されることがない。
【００１４】
また、第３発明に係るスリット詰まり抑制装置は、第２発明において、前記移動機構と前記開口部との間に、前記開口部に略平行に板状部材を取り付けてあることを特徴とする。
【００１５】
第３発明では、移動機構と開口部との間に、開口部に略平行に板状部材を取り付けることにより、開口部から吐出された砥粒が移動機構に誘導される可能性が低くなり、安定して砥粒を分離回収することが可能となる。
【００１６】
また、第４発明に係るスリット詰まり抑制装置は、第１乃至第３発明のいずれか１つにおいて、前記開口部の下方に、回転することが可能な溝部を有する円筒状の軸と前記溝部と係合する前記スリット清掃部材とで構成される円筒溝カム機構を移動機構として備えることを特徴とする。
【００１７】
第４発明では、開口部の下方に、回転することが可能な溝部を有する円筒状の軸と溝部と係合するスリット清掃部材とで構成される円筒溝カム機構を移動機構として備え、円筒溝カム機構に連結してあるスリット清掃部材がスリット状の開口部の長手方向に沿って移動することにより、スリット清掃部材が常に開口部内を開口部の長手方向に沿って移動することができ、砥粒により開口部が詰まることを抑制することが可能となる。
【００１８】
また、第５発明に係るスリット詰まり抑制装置は、第４発明において、前記円筒溝カム機構は、前記溝部が雌ネジ状に形成してあり、前記スリット清掃部材の雄ネジ状の突起部を係合させて連結してあり、前記軸の回転に応じて前記スリット清掃部材が前記開口部の長手方向に沿って移動するようにしてあることを特徴とする。
【００１９】
第５発明では、円筒溝カム機構は、溝部が雌ネジ状に形成してあり、スリット清掃部材の雄ネジ状の突起部を係合させて連結してある。軸の回転に応じてスリット清掃部材が開口部の長手方向に沿って移動することにより、スリット状の開口部に砥粒が詰まるのを抑制することができ、フリーメンテナンスにて砥粒を分離回収することが可能となる。
【００２０】
また、第６発明に係るスリット詰まり抑制装置は、第４又は第５発明において、前記円筒溝カム機構は、前記溝部がクロスネジ状に形成してあり、前記スリット清掃部材の突起部を前記溝部に係合させて連結してあり、前記軸の回転に応じて前記スリット清掃部材が前記開口部の長手方向に沿って移動するようにしてあることを特徴とする。
【００２１】
第６発明では、円筒溝カム機構は、溝部がクロスネジ状に形成してあり、スリット清掃部材の突起部を前記溝部に係合させて連結してある。軸の回転に応じてスリット清掃部材が開口部の長手方向に沿って移動することにより、スリット状の開口部に砥粒が詰まるのを抑制することができ、フリーメンテナンスにて砥粒を分離回収することが可能となる。
【００２２】
また、第７発明に係るスリット詰まり抑制装置は、第６発明において、前記回転ドラムの回転軸の少なくとも一端に、前記軸へ前記回転軸の回転を伝える回転伝達機構を備え、前記回転ドラムの回転により、前記円筒溝カム機構が動作するようにしてあることを特徴とする。
【００２３】
第７発明では、回転ドラムの回転軸の少なくとも一端に、軸へ回転軸の回転を伝える回転伝達機構を備え、回転ドラムの回転により、円筒溝カム機構が動作する。これにより、スリット状の開口部を清掃して砥粒が詰まるのを抑制するために別個に動力を設ける必要がなく、回転ドラムを回転させる動力によって軸を回転させ、スリット清掃部材を移動させることにより開口部に砥粒が詰まるのを抑制することが可能となる。
【００２４】
また、第８発明に係るスリット詰まり抑制装置は、第７発明において、前記回転伝達機構は、前記軸の少なくとも一端にチェインユニットを装着してあり、前記回転ドラムの回転軸の少なくとも一端に前記チェインユニットと噛み合うことが可能な連続する突起部を備えていることを特徴とする。
【００２５】
第８発明では、回転伝達機構として、軸の少なくとも一端にチェインユニットを装着してあり、回転ドラムの回転軸の少なくとも一端にチェインユニットと噛み合うことが可能な連続する突起部を備えている。これにより、スリット状の開口部を清掃して砥粒が詰まるのを抑制するために別個に動力を設ける必要がなく、簡易な機構を介して回転ドラムを回転させる動力によって軸を回転させ、スリット清掃部材を移動させることにより開口部に砥粒が詰まるのを抑制することが可能となる。
【００２６】
また、第９発明に係るスリット詰まり抑制装置は、第１発明において、前記開口部の下方に、回転することが可能な２基の円柱状部材と、該円柱状部材に掛け回してある環状部材とを移動機構として備え、前記環状部材の一部に前記スリット清掃部材を固着してあることを特徴とする。
【００２７】
第９発明では、開口部の下方に、回転することが可能な２基の円柱状部材と、該円柱状部材に掛け回してある環状部材とを移動機構として備え、環状部材の一部にスリット清掃部材を固着してある。２基の円柱状部材を回転させて掛け回してある環状部材を移動させることにより、固着してあるスリット清掃部材をスリット状の開口部の長手方向に沿って移動することができ、砥粒により開口部が詰まることを抑制することが可能となる。
【発明の効果】
【００２８】
上記構成によれば、回転ドラムの下方にスリット状の開口部を設け、開口部に一部が挿入してあるスリット清掃部材が、開口部の長手方向に沿って移動する。スリット清掃部材がスリット状の開口部の長手方向に沿って移動することにより、砥粒により開口部が詰まることを抑制することが可能となる。
【図面の簡単な説明】
【００２９】
【図１】従来の回転ドラム型磁気分離装置の構成を示す回転ドラムの回転軸に直交する面での断面図である。
【図２】本発明の実施の形態１に係る回転ドラム型磁気分離装置の構成を示す回転ドラムの回転軸に直交する面での断面図である。
【図３】本発明の実施の形態１に係るスリット詰まり抑制装置の構成を示す平面図である。
【図４】本発明の実施の形態１に係るスリット詰まり抑制装置のスリット清掃部材の構成を示す正面図及び側面図である。
【図５】本発明の実施の形態２に係るスリット詰まり抑制装置の構成を示す平面図である。
【図６】本発明の実施の形態３に係るスリット詰まり抑制装置の構成を示す平面図である。
【発明を実施するための形態】
【００３０】
以下に、本発明をその実施の形態を示す図面に基づいて詳細に説明する。
【００３１】
（実施の形態１）
図２は、本発明の実施の形態１に係る回転ドラム型磁気分離装置の構成を示す回転ドラムの回転軸に直交する面での断面図である。図２に示すように、本実施の形態に係る回転ドラム型磁気分離装置１は、箱型の本体１内にクーラント液を溜め置く液溜め部１０が設けられている。液溜め部１０を二分するように、本体１の中央部近傍に回転ドラム３が略水平方向に回転することが可能に軸支されている。
【００３２】
回転ドラム３は、ステンレス鋼等の非磁性材で構成された円筒体であり、回転ドラム３の外周面には、複数の磁石４、４、・・・を配置した内筒５を内部に同軸固定してある。内筒５に配置してある複数の磁石４、４、・・・は、回転ドラム３の外周面に所要の磁束を作用させるように適宜磁極を調整して配置してある。本実施の形態１では、磁石４にネオジム系磁石を使用し、ＮとＳとを一対として、絞りローラ６側の一端から、Ｎ、Ｓ、Ｎ、Ｓの順になるように配置してある。
【００３３】
回転ドラム３に磁力を作用させる範囲は、ドラム外径、スクレーパ７の位置等に応じて変動する。図２では、回転ドラム３の液溜め部１０に浸漬する部分から頂上部までの外周部の約３／４の範囲に吸着力が及ぶように内筒５に磁石４、４、・・・が配置されており、外周部の残りの約１／４の範囲には内筒５に磁石を配置していない。磁力が作用する磁場流路１６内で回転ドラム３の外周面に吸着された切削屑、切粉等は、回転ドラム３の回転により、回転ドラム３の頂上部まで搬送され、頂上部を過ぎた時点で吸着力から開放され、回転ドラム３の表面に当接する板状のスクレーパ７にて掻きとられた切削屑、切粉等を回収する。
【００３４】
回転ドラム３の頂上部近くには絞りローラ６が配置されており、所定の押圧で回転ドラム３の外周面に当接されている。これにより、回転ドラム３の表面に吸着されている切削屑、切粉等に含まれる液分を搾り取ることができる。
【００３５】
一方、クーラント液は、当初、液溜め部１０に溜められた後、回転ドラム３と回転ドラム３に沿って配置されるケーシング底板９とで形成される磁場流路１６を通過する。磁場流路１６を通過することにより、液中に混在する切削屑、砥粒等が分離又は回収される。
【００３６】
また、回転ドラム３の外筒に対向する側の面の一部には開口部８が設けられている。開口部８は、回転ドラム３の回転軸３１方向に平行なスリット状である。開口部８は、当初平板状のステンレス鋼（ＳＵＳ３０４）に対し、厚み方向に一定の開口幅を形成するようにレーザ又はタレットパンチにより加工した後、円弧状に曲げ加工を施すことにより作製される。
【００３７】
開口部８の外側には、開口部８を清掃することにより砥粒が詰まることを抑制するスリット詰まり抑制装置２を設けてある。図３は、本発明の実施の形態１に係るスリット詰まり抑制装置２の構成を示す平面図である。図３は、回転ドラム型磁気分離装置の底面を底面側から見た図となっている。
【００３８】
図３に示すように、開口部８の下方に、回転することが可能な溝部を有する円筒状の軸２１と該溝部と係合するスリット清掃部材２２とで構成される円筒溝カム機構を、スリット清掃部材２２を移動させる移動機構として設けてある。軸２１は、スリット状の開口部８に略平行に設けてあり、開口部８の直下から回転ドラム３の回転方向にずらした位置に配置してある。開口部８の直下から離すことにより、開口部８から吐出される砥粒によりスリット清掃部材２２の移動が規制されることがない。
【００３９】
軸２１が回転した場合、スリット清掃部材２２は、軸２１上において、開口部８の長手方向に沿って移動する。スリット清掃部材２２が移動することにより、スリット清掃部材２２の先端に設けてあるスリット清掃ピン２３がスリット状の開口部８内を往復移動するので、開口部８近傍に堆積する砥粒を効果的に排除することができる。
【００４０】
なお、軸２１とスリット状の開口部８との間に、開口部８に略平行に板状部材２８を取り付けてあることが好ましい。開口部８から吐出された砥粒が円筒溝カム機構に誘導される可能性が低くなり、安定して砥粒を分離回収することができるからである。
【００４１】
本実施の形態１では、円筒溝カム機構は、軸２１の溝部がクロスネジ状に形成してあり、スリット清掃部材２２の突起部を溝部に係合させて連結してある。軸２１が回転した場合、軸２１の回転に応じてスリット清掃部材２２がスリット状の開口部８の長手方向に沿って移動する。軸２１の回転に応じてスリット清掃部材２２が開口部８の長手方向に沿って移動することにより、開口部８に砥粒が詰まるのを抑制することができ、フリーメンテナンスにて砥粒を分離回収することが可能となる。
【００４２】
図４は、本発明の実施の形態１に係るスリット詰まり抑制装置２のスリット清掃部材２２の構成を示す正面図及び側面図である。図４（ａ）は、本発明の実施の形態１に係るスリット詰まり抑制装置２のスリット清掃部材２２の構成を示す正面図であり、図４（ｂ）は、本発明の実施の形態１に係るスリット詰まり抑制装置２のスリット清掃部材２２の構成を示す側面図である。
【００４３】
スリット清掃部材２２は、軸２１上を往復移動する本体部２２１と、軸２１の溝部と噛み合う突起部２２２と固着部２２３とを介して軸２１上を往復移動することが可能に連結されている。スリット清掃ピン２３は、軸２１と噛み合う突起部２２２と離れた位置で開口部８に入り込むように、本体部２２１の外側にて屈曲した形状となっている。これにより、開口部８から吐出されて落下してくる砥粒により、スリット清掃ピン２３の開口部８内の往復移動が妨げられる可能性を低くすることができる。もちろん、スリット清掃ピン２３の形状は、図４に示す形状に限定されるものではなく、開口部８の直下に軸２１を配置することなくスリット清掃ピン２３をスリット状の開口部８に挿入することが可能な形状であれば何でも良い。
【００４４】
図２に戻って、軸２１を回転させる動力源は、回転ドラム３を回転させる動力源と共通化させている。すなわち、回転ドラム３の回転軸３１の少なくとも一端に、軸２１へ回転軸３１の回転を伝える回転伝達機構を備える。このようにすることで、スリット状の開口部８を清掃して砥粒が詰まるのを抑制するために別個に動力源を設ける必要がなく、回転ドラム３を回転させる動力によって軸２１を回転させ、スリット清掃部材２２を移動させることにより開口部８に砥粒が詰まるのを抑制することが可能となる。
【００４５】
具体的には、回転伝達機構は、軸２１の少なくとも一端にチェインユニット４１を装着してあり、回転ドラム３の回転軸３１の少なくとも一端にチェインユニット４１と噛み合うことが可能な連続する突起部４２を備える。これにより、スリット状の開口部８を清掃して砥粒が詰まるのを抑制するために別個に動力源を設ける必要がなく、簡易な機構を介して回転ドラム３を回転させる動力によって軸２１を回転させ、スリット清掃部材２２を移動させることにより開口部８に砥粒が詰まるのを抑制することが可能となる。
【００４６】
つまり、回転ドラム３を回転させる動力源であるモータ４３が回転した場合、回転ドラム３の回転軸３１が図２の反時計回りに回転して、複数の磁石４、４、・・・に吸着されたスラッジが回転ドラム３の頂上部へと搬送される。スラッジは、回転ドラム３の頂上部を通過した時点で複数の磁石４、４、・・・による吸着力を失い、回転ドラム３に当接するスクレーパ７にて掻き取られて回収される。
【００４７】
回転ドラム３の回転軸３１が反時計回りに回転することにより、連続する複数の突起部４２、４２、・・・と噛み合っているチェインユニット４１は時計回りに回転する。チェインユニット４１が時計回りに回転することにより、軸２１も時計回りに回転し、クロスネジ状に形成してある軸２１の溝部が、連結されているスリット清掃部材２２の突起部２２２を開口部８の長手方向のいずれかの方向に沿って直線的に移動させる。
【００４８】
スリット清掃部材２２の突起部２２２が開口部８の一端まで到達した場合、クロスネジ状に溝部を形成しているので、軸２１の回転方向を変えることなく、スリット清掃部材２２の突起部２２２は反対方向に向かって直線的に移動する。したがって、回転ドラム３を連続的に回転させつつ、スリット清掃部材２２は、スリット状の開口部８の長手方向に沿って移動するので、開口部８に砥粒が詰まるのを抑制することができ、フリーメンテナンスにて砥粒を分離回収することが可能となる。
【００４９】
以上のように本実施の形態１によれば、移動機構である円筒溝カム機構に連結してあるスリット清掃部材２２がスリット状の開口部８の長手方向に沿って移動することにより、スリット清掃部材２２のスリット清掃ピン２３が常に開口部８内を開口部８の長手方向に沿って移動することができ、砥粒により開口部８が詰まることを抑制することが可能となる。また、チェインユニット４１のような簡易な機構を介して、回転ドラム３の回転により円筒溝カム機構を動作させることができるので、スリット状の開口部８を清掃して砥粒が詰まるのを抑制するために別個に動力を設ける必要がない。
【００５０】
（実施の形態２）
本発明の実施の形態２に係る回転ドラム型磁気分離装置自体の構成は、従来の構成（図１参照）と同様であることから、同一の符号を付することにより、詳細な説明は省略する。本実施の形態２は、手動でスリット状の開口部８を清掃して砥粒が詰まるのを抑制する点で実施の形態１と相違する。
【００５１】
開口部８の外側には、開口部８を清掃することにより砥粒が詰まることを抑制するスリット詰まり抑制装置２を設けてある。図５は、本発明の実施の形態２に係るスリット詰まり抑制装置２の構成を示す平面図である。図５は、回転ドラム型磁気分離装置の底面を底面側から見た図となっている。
【００５２】
図５に示すように、開口部８の下方に、回転することが可能な溝部を有する円筒状の軸２１と該溝部と係合するスリット清掃部材２２とで構成される円筒溝カム機構を有している。軸２１は、スリット状の開口部８に略平行に設けてあり、開口部８の直下から回転ドラム３の回転方向にずらした位置に配置してある。開口部８の直下から離すことにより、開口部８から吐出される砥粒によりスリット清掃部材２２の移動が規制されることがない。
【００５３】
軸２１の溝部は雌ネジ状に形成してあり、スリット清掃部材２２には雄ネジ状の突起部を形成してある。軸２１の溝部とスリット清掃部材２２の突起部とを係合させて連結し、軸２１の回転に応じてスリット清掃部材２２が、スリット状の開口部８の長手方向に沿って移動する。
【００５４】
軸２１の一端には、手動で軸２１を回転させることが可能な操作ハンドル５１を備えている。例えば操作ハンドル５１を時計回りに回転させた場合、軸２１も時計回りに回転する。軸２１の回転により、軸２１の溝部と係合している突起部を介して、スリット清掃部材２２は、開口部８の長手方向に沿って操作ハンドル５１へ接近する方向に直線的に移動する。
【００５５】
逆に、操作ハンドル５１を反時計回りに回転させた場合、軸２１も反時計回りに回転する。軸２１の回転により、軸２１の溝部と係合している突起部を介して、スリット清掃部材２２は、開口部８の長手方向に沿って操作ハンドル５１から離れる方向に直線的に移動する。
【００５６】
したがって、操作ハンドル５１を適宜回転させることにより、スリット清掃部材２２の先端に設けてあるスリット清掃ピン２３がスリット状の開口部８内を往復移動するので、開口部８近傍に堆積する砥粒を効果的に排除することができる。
【００５７】
なお、軸２１とスリット状の開口部８との間に、開口部８に略平行に板状部材２８を取り付けてあることが好ましい。開口部８から吐出された砥粒が円筒溝カム機構に誘導される可能性が低くなり、安定して砥粒を分離回収することができるからである。
【００５８】
以上のように本実施の形態２によれば、円筒溝カム機構は、溝部が雌ネジ状に形成してあり、スリット清掃部材２２の雄ネジ状の突起部を係合させて連結してある。軸２１の回転に応じてスリット清掃部材２２がスリット状の開口部８の長手方向に沿って移動することにより、スリット状の開口部８に砥粒が詰まるのを抑制することができ、フリーメンテナンスにて砥粒を分離回収することが可能となる。また、手動で円筒溝カム機構を動作させることができるので、スリット状の開口部８を清掃して砥粒が詰まるのを抑制するために別個に動力を設ける必要がない。
【００５９】
（実施の形態３）
本発明の実施の形態３に係る回転ドラム型磁気分離装置自体の構成は、従来の構成（図１参照）と同様であることから、同一の符号を付することにより、詳細な説明は省略する。本実施の形態３は、スリット清掃部材２２を移動させる移動機構が、２基の円筒状部材に掛け回してある環状部材である点で実施の形態１及び２と相違する。
【００６０】
開口部８の外側には、開口部８を清掃することにより砥粒が詰まることを抑制するスリット詰まり抑制装置２を設けてある。図６は、本発明の実施の形態３に係るスリット詰まり抑制装置２の構成を示す平面図である。図６は、回転ドラム型磁気分離装置の底面を底面側から見た図となっている。
【００６１】
図６に示すように、開口部８の下方に、回転することが可能な２基の円柱状部材６１、６１と、円柱状部材６１、６１に掛け回してある環状部材６２とを備えている。例えば円柱状部材６１、６１として２基のスプロケットを、環状部材６２としてチェインベルトを用い、チェインベルトの一部にスリット清掃部材２２を固着してある。もちろん、スプロケットとチェインベルトの組み合わせに限定されるものではなく、ローラとベルトの組み合わせ等、円柱状部材６１、６１の回転に応じて環状部材６２が移動することが可能であれば何でも良い。
【００６２】
円柱状部材６１、６１が同一方向に同一回転角速度で回転した場合、環状部材６２が図６の矢印方向のいずれかに移動する。例えば円柱状部材６１、６１が時計回りに回転した場合には、環状部材６２は矢印のＡ方向に、円柱状部材６１、６１が反時計回りに回転した場合には、環状部材６２は矢印のＢ方向に、それぞれ移動する。
【００６３】
環状部材６２の移動に伴い、環状部材６２に固着してあるスリット清掃部材２２も移動する。スリット清掃部材２２の一部が開口部８に挿入してあるので、開口部８近傍に堆積する砥粒を効果的に排除することができる。
【００６４】
以上のように本実施の形態３によれば、開口部８の下方に、回転することが可能な２基の円柱状部材６１、６１と、円柱状部材６１、６１に掛け回してある環状部材６２とを備え、環状部材６２の一部にスリット清掃部材２２を固着してある。２基の円柱状部材６１、６１を回転させて掛け回してある環状部材６２を移動させることにより、固着してあるスリット清掃部材２２をスリット状の開口部８の長手方向に沿って移動することができ、砥粒により開口部８が詰まることを抑制することが可能となる。
【００６５】
なお、本発明は上記実施例に限定されるものではなく、本発明の趣旨の範囲内であれば多種の変更、改良等が可能である。例えば実施の形態１では、回転伝達機構として、軸２１の少なくとも一端にチェインユニット４１を装着し、回転ドラム３の回転軸３１の少なくとも一端にチェインユニット４１と噛み合うことが可能な連続する突起部４２を備える構成について開示しているが、軸２１の両端にチェインユニット４１を備えても良いし、チェインユニットではなく歯車機構、ベルト機構等、回転を伝達することが可能な機構であれば特に限定されるものではない。
【符号の説明】
【００６６】
１０  液溜め部
３  回転ドラム
４  磁石
５  内筒
６  絞りローラ
８  開口部
２１  軸
２２  スリット清掃部材
２３  スリット清掃ピン
４１  チェインユニット
４２  突起部
５１  操作ハンドル
６１  円柱状部材
６２  環状部材
【図１】
2012130887.tif 000003
【図２】
2012130887.tif 000004
【図３】
2012130887.tif 000005
【図４】
2012130887.tif 000006
【図５】
2012130887.tif 000007
【図６】
2012130887.tif 000008